(57)【特許請求の範囲】
【請求項１】
合成して１つのカラー画像を表示するための複数色として、第１の複数色と、この第１の複数色とは実質的に互いに排他的な分光分布特性を有した第２の複数色とを使用し、第１の画像を上記第１の複数色により、第２の画像を上記第２の複数色により同一の表示媒体上に重畳表示した表示画面を観察する画像観察方法であって、
上記表示画面に当接される位置の少なくとも一部に、上記第１及び第２の複数色のうちの一方のみを選択的に透過する波長選択性光学フィルタを配設することにより、上記表示画面上の第１及び第２の画像のうちの一方のみを選択的に観察し得るようにしたことを特徴とする画像観察方法。
【請求項２】
上記第１、第２の各画像は、それぞれ立体画像を構成する左右各眼用の単眼視画像であることを特徴とする請求項１記載の画像観察方法。
【請求項３】
複数色として、第１の３原色と、この第１の３原色と実質的に互いに排他的な分光分布特性を有した第２の３原色とを少なくとも使用し、第１の画像を上記第１の３原色を発色するインクにより、第２の画像を上記第２の３原色を発色するインクにより同一の表示媒体である同一の印刷面に重畳印刷した印刷物を収納する印刷物収納用具であって、
上記印刷物を収納した状態で重畳印刷面に当接される位置の少なくとも一部に、上記第１及び第２の３原色のうちの一方のみを選択的に透過する波長選択性光学フィルタ材を配設したことを特徴とする印刷物収納用具。
【請求項４】
上記第１、第２の各画像は、それぞれ立体画像を構成する左右各眼用の単眼視画像であることを特徴とする請求項３記載の印刷物収納用具。
【発明の詳細な説明】
【技術分野】
【０００１】
本発明は、立体カラー画像を表示し、印刷し、これを観察するための画像観察方法及び印刷物収納用具に関する。
【背景技術】
【０００２】
従来より、２眼式の立体画像再生には、左右独立ディスプレイ方式、パララックスバリア方式、時分割方式、偏光方式、赤青アナグリフ方式などがある。このような各種立体画像再生方式のうち、投影などの特殊な機構を用いることなく、２眼用の画像を重畳して表示し、あるいは印刷することが可能なものは、赤青アナグリフ方式のみである。
【発明の開示】
【発明が解決しようとする課題】
【０００３】
しかしながら、アナグリフ方式は、カラーアナグリフ方式も考案されているが、本来はカラー画像に使用できず、当然ながら色再現性がきわめて異常であり、モノクロ画像も含めて使用時に大きな違和感を生じるという不具合がある。
【０００４】
したがって、写真や映画など、カラー画像を鑑賞するというレベルでの使用に耐える技術ではなく、従来より多くの人に認知はされているものの、一般的に広く普及するには至っていない。
【０００５】
本発明は上記のような実情に鑑みてなされたもので、その目的とするところは、きわめて自然にカラー画像を立体視して鑑賞することが可能な画像観察方法及び印刷物収納用具を提供することにある。
【課題を解決するための手段】
【０００６】
請求項１記載の発明は、合成して１つのカラー画像を表示するための複数色として、第１の複数色と、この第１の複数色とは実質的に互いに排他的な分光分布特性を有した第２の複数色とを使用し、第１の画像を上記第１の複数色により、第２の画像を上記第２の複数色により同一の表示媒体上に重畳表示した表示画面を観察する画像観察方法であって、上記表示画面に当接される位置の少なくとも一部に、上記第１及び第２の複数色のうちの一方のみを選択的に透過する波長選択性光学フィルタを配設することにより、上記表示画面上の第１及び第２の画像のうちの一方のみを選択的に観察し得るようにしたことを特徴とする。
【０００７】
請求項２記載の発明は、上記請求項１記載の発明において、上記第１、第２の各画像は、それぞれ立体画像を構成する左右各眼用の単眼視画像であることを特徴とする。
【０００８】
請求項３記載の発明は、複数色として、第１の３原色と、この第１の３原色と実質的に互いに排他的な分光分布特性を有した第２の３原色とを少なくとも使用し、第１の画像を上記第１の３原色を発色するインクにより、第２の画像を上記第２の３原色を発色するインクにより同一の表示媒体である同一の印刷面に重畳印刷した印刷物を収納する印刷物収納用具であって、上記印刷物を収納した状態で重畳印刷面に当接される位置の少なくとも一部に、上記第１及び第２の３原色のうちの一方のみを選択的に透過する波長選択性光学フィルタ材を配設したことを特徴とする。
【０００９】
請求項４記載の発明は、上記請求項３記載の発明において、上記第１、第２の各画像は、それぞれ立体画像を構成する左右各眼用の単眼視画像であることを特徴とする。
【発明の効果】
【００１０】
本発明によれば、きわめて自然にカラー画像を立体視して鑑賞することが可能となる。
【発明を実施するための最良の形態】
【００１１】
以下本発明の具体的な実施の形態を説明するのに先立って、まず本発明の基本的な概念について説明する。
【００１２】
図１は、一般的なカラーＣＲＴディスプレイの蛍光体の分光分布特性を模式的に示したものである。但し、３原色ＲＧＢ各色の蛍光体それぞれのピーク強度を１として規格化している。
【００１３】
各蛍光体のピーク波長は、Ｂ＝約４５０［ｎｍ］、Ｇ＝約５３５［ｎｍ］、Ｒ＝約６２０［ｎｍ］であり、人間の視覚のＲＧＢ感度特性のピークとほぼ同じであるが、その分布形状に関しては人間の視覚とさほど似ていない。
【００１４】
すなわち、すなわち各蛍光体の分布の半値幅はＢ，Ｇ共に５０〜６０［ｎｍ］程度、Ｒでは３０ｎｍ程度とかなり狭いものとなっているが、このような特性でも高い色再現性を実現できている。
【００１５】
この点は別に奇異なわけではなく、撮像装置の受光分光感度特性については、いわば目の代わりをするものであるから、様々な周波数成分のスペクトラムを有する被写体のすべてに良好な色再現を求める場合には、視覚のＲＧＢ特性と高い一致度が必要になる一方で、表示装置はいわば被写体それ自体の代わりをするものであるから、結果的に人間の視覚のＲＧＢ受容体に対して、本来の刺激と同強度比率の刺激を与えることができさえすれば、高い色再現性を実現できることになる。
【００１６】
したがって、左眼用の画像と右眼用の画像のそれぞれに、実質的に互いに排他的な分光分布特性を有する複数色、例えば加法混色の３原色であるＲＧＢを使用して同一の表示媒体上に重畳表示し、且つそれを観察する側で、左眼レンズに左眼用の画像に合致した分光特性のみ透過可能な光学フィルタを、右眼レンズに右眼用の画像に合致した分光特性のみ透過可能な光学フィルタをそれぞれ配した観察メガネを用いるものとすれば、観察する人間の左眼及び右眼では、それぞれ視覚のＲＧＢ受容体に対して本来の刺激と同強度比率の刺激を与えられて、左眼用画像と右眼用画像をそれぞれ分離して高い色再現性で視認することができることになる。
【００１７】
図２は、上記論点を補充するべく用いるもので、３波長型と呼ばれる代表的な高演色性蛍光灯に使用されている３蛍光体の分光分布特性の一例を模式的に示している。
【００１８】
同図中、Ｂ，Ｇ，Ｒの各ピーク波長は人間の視覚のＲＧＢ感度特性のピーク波長に比較的近い４３５［ｎｍ］、５４５［ｎｍ］、６１５［ｎｍ］である。なお、現実の特性は強度１０％程度以下に多少の「裾野」部分を持っているが、強度の強い主要部分についてはほぼこのような特性となる。
【００１９】
蛍光灯は照明であるから、高い色再現性（＝演色性）を得るためには、本来は平坦な（ブロードな）分光分布特性が必要となるものであるが、このようなＲＧＢ各蛍光体の半値幅がわずか１０［ｎｍ］程度と極端に狭い、狭帯域特性のものであっても、実用上は高い演色性を得ることができる。
【００２０】
いわんや、ディスプレイの場合は、人間の視覚のＲＧＢ受容体に適当な強度比率の刺激を与えることができるのであれば、狭帯域の光、あるいは複数の単色光であっても原理的にまったく問題はないことになる。
【００２１】
このように図２は、本発明の実施に際して必須となる狭帯域の３原色を用いたカラー表示方式の有効性を示すものであると同時に、下記の各実施の形態のようなディスプレイを製作するにあたり、要求されるような狭帯域発光の蛍光体が現実に存在するということの一つの証左という意味も有している。
【００２２】
（第１の実施の形態）  
以下本発明をカラーＣＲＴディスプレイに適用した場合の第１の実施の形態について図面を参照して説明する。
【００２３】
図３は、本発明の第１実施形態であるカラーＣＲＴに用いられる６種類の蛍光体の分光分布特性の一例を示す。
【００２４】
６種類の蛍光体は、ＲＧＢの各原色に対して２つずつ割り当てられており、２組の３原色を構成している。それぞれの組をＸおよびＺで表わすことにする。ピーク波長は  
ＢＸ，ＢＺ，ＧＸ，ＧＺ，ＲＸ，ＲＺ
の順に
４３５［ｎｍ］，４６５［ｎｍ］，５２０［ｎｍ］，５５０［ｎｍ］，６０５［ｎｍ］，６３５ｎｍ［ｎｍ］  
であり、半値幅はいずれも約２０［ｎｍ］である。
【００２５】
したがって、各同一原色のＢＸとＢＺ、ＧＸとＧＺ、ＲＸとＲＺの特性の裾野部分には、図中に示すようにＸ系とＺ系の間で５［ｎｍ］に渡る若干のオーバーラップが存在するが、範囲も僅かであり、ピーク強度も低いことから、実用上十分な分離度を実現することができる。もちろん、上記図２で示した３波長型蛍光灯のように、さらに半値幅の小さなものを用いて裾野部分のオーバーラップをなくすものとすれば、きわめて効果的な改善例となる。
【００２６】
また、上記ピーク波長は、人間の視覚のＲＧＢ感度特性のピーク波長約４５０［ｎｍ］、５３５［ｎｍ］、６２０［ｎｍ］を中心として、Ｘ系で１５［ｎｍ］短く、Ｚ系で１５［ｎｍ］長く設定されている。
【００２７】
このように、ピーク波長の視覚のＲＧＢ感度特性のピーク波長に対するずれがＸ系の色とＺ系の色とを等しく設定することにより、視覚のＲＧＢ感度特性に対する寄与度がＸ，Ｚの両系ともほぼ等しくなる。
【００２８】
したがって、同じ表示色に対する両系の発光強度、すなわち入力信号強度を共通にすることができる。これは換言すれば、同じ入力を与えれば同じ色が表示される、という効果を奏するものである。
【００２９】
このような条件は必須ではなく、Ｘ系とＺ系の色再現に多少の誤差があっても実用に供することは充分可能であるし、あるいは各系のＲＧＢ特性にマトリクス補正を加えるなどして、色再現誤差を低減することも可能である。
【００３０】
図４は、本実施の形態に係るＣＲＴの基本構造を示しており、基本的な構造自体は一般的なＣＲＴと同様である。すなわち、電子銃１１のカソード１２から発射された電子ビーム１３は、グリッド１４にて収束され、輝度変調された後に偏向ヨーク１５で射出方向を制御されて蛍光面１６に輝点を結ぶ。
【００３１】
以下、図５及び図６により一般的なＣＲＴと本実施の形態に係るＣＲＴとの構造の違いについて説明する。
【００３２】
図５（Ａ）は、一般的なシャドウマスク型カラーＣＲＴの電子銃２１ａ〜２１ｃと蛍光面２２との対応関係の一例を示す。インライン状に配置された３つの電子銃２１ａ〜２１ｃからの電子ビーム２３は、シャドウマスク２４によって蛍光面２２に形成された３原色のそれぞれ対応する蛍光体のみに選択的に到達する。図５（Ｂ）は、この蛍光面２２に形成された３原色Ｒ，Ｇ，Ｂの各蛍光体の配列状態を例示したものである。
【００３３】
図６（Ａ）は本実施の形態に係るシャドウマスク型カラーＣＲＴの電子銃１１と蛍光面１６との対応関係の一例を示す。ここで電子銃１１は、従来のインライン状の３つの電子銃を２段重ねにした、いってみればデュアルインライン配置とでも呼称すべき配置構成を有している。
【００３４】
その上列にはＸ系の電子銃１１ａ〜１１ｃが、下列にはＺ系の電子銃１１ｄ〜１１ｆが配され、シャドウマスク１７によって蛍光面１６に形成された２組の３原色、計６色の蛍光体のみに選択的に到達するように構成されている。図７（Ｂ）は、この蛍光面１６に形成された６色の蛍光体ＲＸ，ＲＺ，ＧＸ，ＧＺ，ＢＸ，ＢＺの配列状態を例示したものである。
【００３５】
図７は、上記ＣＲＴディスプレイを用いてステレオ画像を表示する場合の具体的な方法を示したものである。
【００３６】
図７（１）に示す左眼用のＬ画像にＸ系の３原色ＲＸ，ＧＸ，ＢＸを用い、図７（２）に示す右眼用のＲ画像にＺ系の３原色ＲＺ，ＧＺ，ＢＺを用いて、図７（３）に示すように一つの画面上に同時に重畳表示する。
【００３７】
この重畳表示されたステレオ画像は、Ｌ，Ｒ両画像ともにＲＧＢ３原色情報を有したもの、すなわちフルカラー画像であるが、上述したように、Ｘ系とＺ系は分光分布の重なり（オーバーラップ）が充分小さい、実質的に互いに排他的な分光分布特性を有している。
【００３８】
そのため、左眼レンズ用に上記Ｘ系の分光特性のみ透過可能な光学フィルタを配し、右眼レンズ用に上記Ｚ系の分光特性のみ透過可能な光学フィルタを配した、後述する観察メガネを用いるものとすれば、Ｌ画像とＲ画像とをそれぞれ分離して左眼と右眼で観察することが可能となり、結果として立体画像を観察することができる。
【００３９】
なお、上述した「実質的に互いに排他的な分光分布特性」とは、すなわち「フィルタによって実用上使用可能な分離度で互いを分離可能な程度に、分光分布の重なり（オーバーラップ）が充分小さいような分光分布特性」を意味するものである。
【００４０】
次いで図８により上記図７で示したような立体画像表示を実現する、カラーＣＲＴディスプレイの信号処理回路の構成を説明する。
【００４１】
ここでは、例えばＮＴＳＣビデオ信号におけるフィールド順次ステレオ信号のような時分割入力信号がＬＲ分離部３１に与えられるものとする。
【００４２】
ＬＲ分離部３１は、内部にバッファメモリを有し、与えられた画像信号に対して水平／垂直各走査信号やＬＲ識別信号など同期信号の分離を行ない、これに基づいて、順次与えられる時分割入力信号をバッファ内に設けられたＬおよびＲの各専用記憶領域に順次記憶（データ更新）することによってＬ画像信号とＲ画像信号とを分離同時化し、所定の１フィールド間隔時点毎にこれを同時に読出してそれぞれＸ系処理部３２とＺ系処理部３３とに同時に送出する。
【００４３】
Ｘ系処理部３２は、与えられたＬ画像信号に対して必要に応じて通常のビデオ信号と同様に同期信号の分離や映像信号処理等の処理を施して表示装置を駆動するための各種信号を生成するもので、生成されたＸ系の各種信号が出力部３４へ送られる。
【００４４】
Ｚ系処理部３３もＸ系処理部３２と同様の信号処理を行なうものであり、ＬＲ分離部３１から与えられたＲ画像信号からＺ系の各種信号を生成して出力部３４へ送る。
【００４５】
出力部３４は、例えば上記カラーＣＲＴディスプレイとその駆動回路とで構成されるもので、与えられるＸ系，Ｙ系の各種信号により左眼用のカラー画像と右眼用のカラー画像とを上述した如く重畳表示する。
【００４６】
なお、上述した本実施の形態に係るカラーＣＲＴディスプレイでは、通常の構造のものと比較して、電子銃の数が増えると共に、２倍の垂直密度の画素が必要となるため、製造が難しくなる場合も有り得る。この問題に対する解決策として本実施の形態の変形例を示す。
【００４７】
すなわち、一般的なＣＲＴと同様に３つの電子銃を有する構造とし、蛍光面の各蛍光体には１走査ライン毎にＸ系蛍光体ＲＸ，ＧＸ，ＢＸとＺ系蛍光体ＲＺ，ＧＺ，ＢＺとを交互に塗布しておく。
【００４８】
そしてＬ，Ｒの各画像を１ラインおきにインターレース状態で出力して描画させるように構成する。このときＬ，Ｒの各モノキュラ画像の垂直解像度は全走査線数の１／２に低下するが、立体画像としては両画像を融合して観察するので、この解像度の低下は事実上問題にはならないものである。
【００４９】
また、そのＣＲＴがノンインターレース走査型であるか、あるいはインターレース走査型であってもフィールドレートが１００［Ｈｚ］以上の高速走査型であれば、フリッカを生じることはなく、鑑賞者に画像のちらつきによる違和感を与えることはない。
【００５０】
なお、一般的な３つの電子銃を有するカラーＣＲＴを用い、液晶シャッタを組込んだ眼鏡装置を用いて立体画像を観察する時分割提示方式とは異なり、本実施の形態でのＬ画像とＲ画像との像の分離は、ディスプレイの蛍光面に塗布した蛍光体の発光スペクトラムに拠っているものであるから、残光性の高い蛍光体を使用するものとすれば、たとえ低速で走査するインターレース走査型のカラーＣＲＴであっても、フリッカの発生を回避することが可能となる。
【００５１】
（その他の実施の形態）  
以下に説明する第２以降の各実施の形態に関して、表示、印刷で表わされるカラー画像の分光分布特性等については、基本的な原理等、上記第１の実施の形態と同様であるので、簡略的に説明するものとする。
【００５２】
（第２の実施の形態）  
本発明を発光ダイオード（ＬＥＤ）ディスプレイに適用した場合の第２の実施の形態について説明する。
【００５３】
この場合、上記図４及び図６で示したカラーＣＲＴディスプレイと同様に、従来は３原色ＲＧＢだけを使用していたＬＥＤディスプレイで、上記図３に示したような分光分布特性を有するＸ系およびＺ系それぞれの３原色ＲＧＢ、都合６色のＬＥＤを光源として置き換えた構成とすればよい。
【００５４】
なお、通常のＬＥＤディスプレイは、各画素に独立したＬＥＤをアレイ状に配したＬＥＤアレイディスプレイであって、この第２の実施の形態もそのようなものを仮定しているが、変形例として、例えば、カラーフィルタを用いない液晶表示パネルのような、透過型または反射型のモノクロ表示デバイスに、時分割で発光するカラー照明を組合わせたフィールドシーケンシャル方式とも呼称される面順次型のカラー表示装置であって、そのカラー照明用の光源としてＬＥＤを拡散板を介して使用したものも考え得る。
【００５５】
例えば、フィールドシーケンシャル方式の液晶表示パネルに光源としてのＬＥＤを使用する場合、６種類のＬＥＤを１サブフィールドに１種類ずつ  
ＲＸ，ＲＺ，ＧＸ，ＧＺ，ＢＸ，ＢＺ  
の順序で点灯駆動し、且つ、例えばＬＥＤとしてＲＸが点灯されているサブフィールド期間ではその点灯に同期させてモノクロの液晶表示パネルで左眼用のＲ成分の画像を表示させる、というように、６サブフィールドで１フィールドに相当する左右両眼用の画像を表示させることにより、結果として左右両眼用の画像を１枚の液晶表示パネルで重畳表示し得るものとなる。
【００５６】
また、ＬＥＤディスプレイではないが、このようなフィールドシーケンシャル方式のカラー表示装置であって、そのカラー照明光源として上記第１の実施の形態と同様の蛍光体を複数の光源装置に対応させて配設したものも変形例として提示し得る。
【００５７】
（第３の実施の形態）  
以下本発明をカラー液晶ディスプレイに適用した場合の第３の実施の形態について説明する。
【００５８】
この場合、一般的なカラー液晶表示パネルの場合、カラーコーディングは３原色ＲＧＢの点順次フィルタによって行なわれているから、これを上記図３で示したような分光透過特性を有したＸ系およびＺ系それぞれの３原色ＲＧＢ、都合６色で１画素を構成するようなカラーフィルタを有したものに置き換えればよい。
【００５９】
（第４の実施の形態）  
本発明をインクジェット式のプリンタに適用した場合を第４の実施の形態として図面を参照して説明する。
【００６０】
インクジェット式のプリンタの場合、従来の着色は原理的には減法混色の３原色であるＣｙ（シアン）、Ｍｇ（マゼンタ）、Ｙｅ（イェロー）の３つの補色インクを用いて行なわれる。
【００６１】
なお、製品としてのプリンタでは、特にＭｇの理想特性との乖離が大きく、理想的なインクの特性が得られないことへの対策と、カラープリントだけではなく文書等の白黒プリントを行なう際の経済性を考慮して、第４色である黒（ＢＫ）のインクも使用されることが多いが、これは必須ではないから、本実施の形態に関しては、説明を簡略にして発明を明確化するために、発色特性の良好なＣｙ，Ｍｇ，Ｙｅの３つの補色インクを使用し、ＢＫは使用しないものとする。
【００６２】
図９は、一般的インクジェット式のプリンタで使用される３色インクの分光分布特性を模式するものである。これに対して図１０は、本第４の実施の形態であるインクジェット式のプリンタに用いられる６種類のインクの分光分布特性の一例を示すものである。
【００６３】
図１０に示す６種類のインクは、減法混色の３原色である３つの補色Ｃｙ，Ｍｇ，Ｙｅに対して２つずつ割り当てられて２組の３原色を構成している。それぞれの組をＸおよびＺで示すものとすると、  
ＣｙＸ，ＣｙＺ，ＭｇＸ，ＭｇＺ，ＹｅＸ，ＹｅＺ  
となり、それら各色に対してピーク波長が２つずつ存在するが、補色であるために同じ組に関しては重複があるから、結局ピーク波長は、低周波側から順に  
４３０［ｎｍ］，４７０［ｎｍ］，５１５［ｎｍ］，５５５［ｎｍ］，６００［ｎｍ］，６４０［ｎｍ］  
の６つとなる。
【００６４】
このインクジェット式のプリンタは、Ｘ系用の画像を印刷するために３つ、Ｚ系用の画像を印刷するために３つの計６つのインクタンク及びこれらに対応したプリントヘッドを有しており、それぞれに上述の６色のインクが適用される。Ｘ系、Ｚ系のそれぞれには、上述した図７及び図８と同様の方法でＬ画像、Ｒ画像が入力され、用紙に重畳印刷される。
【００６５】
なお、従来の３原色のみに基づいたインクジェット式のプリンタでも、カラーインクとして６色を使用するものは存在しているから、そのインクタンクの搭載部にこの第４の実施の形態で説明した６色、すなわちＣｙＸ，ＣｙＺ，ＭｇＸ，ＭｇＺ，ＹｅＸ，ＹｅＺの各インクタンクを装着するものとし、さらに印刷制御系の回路を上記図８に対応した、左右両眼用の画像を重畳して印刷するものに変更すれば、比較的容易に本実施の形態を実現できる。
【００６６】
なお、インクジェット式以外のプリンタ、例えば昇華型熱転写プリンタなどにも全く同様に適用できる。その場合、例えば従来使用していた３色のインクシートを上述した６色に変更すればよい。
【００６７】
また、上記第４実施形態では３原色として反射媒体に適した減法混色のインク（色素）を使用したが、いわゆるスライド作成など透過型媒体に印画する場合など、目的によっては加法混色の３原色ＲＧＢのインク（色素）を用いても良い。
【００６８】
（第５の実施の形態）  
以下本発明を、上記第１乃至第４の実施の形態で説明したような表示画面または印刷物のステレオ画像を観察する観察メガネに適用した第５の実施の形態について図面を参照して説明する。
【００６９】
図１２は、その観察メガネ４１の外観構成を示すもので、ここでは一般的な近視、遠視、乱視等の視力矯正用のメガネと外観上はまったく同一の構成を有するものとして示している。
【００７０】
しかして、観察メガネ４１の左眼用のレンズには、Ｌ画像の分光分布特性に適応したＸ系フィルタ４２を配し、一方、右眼用のレンズには、Ｒ画像の分光分布特性に適応したＺ系フィルタ４３を配している。
【００７１】
図１１は上記Ｘ系フィルタ４２とＺ系フィルタ４３の分光分布特性を例示するものである。図１１（１）に示すＬ画像＝左眼用のＸ系フィルタ４２と、図１１（２）に示すＲ画像＝右眼用のＺ系フィルタ４３は、共に等しい５つのカットオフ周波数  
４５０［ｎｍ］，４９２．５［ｎｍ］，５３５［ｎｍ］，５９７．５［ｎｍ］，６２０［ｎｍ］  
において急峻に変化する、いわゆるシャープカットバンドパス特性を有し、かつ互いに透過と遮断の周波数帯域が反転した関係になっている。
【００７２】
そのため、上記第１内視第４の各実施の形態で説明した表示画面あるいは印刷物上に重畳表示（印刷）されているステレオ画像を観察すると、観察メガネ４１の左眼用レンズのＸ系フィルタ４２ではＸ系の３原色ＲＸ，ＧＸ，ＢＸ（またはＣｙＸ，ＭｇＸ，ＹｅＸ）のみ、右眼用レンズのＺ系フィルタ４３ではＺ系の３原色ＲＺ，ＧＺ，ＢＺ（またはＣｙＺ，ＭｇＺ，ＹｅＺ）のみがそれぞれ透過する。したがって、Ｌ画像とＲ画像が分離され、左右各眼に個別に視認、観察される。
【００７３】
なお、上記Ｘ系フィルタ４２やＺ系フィルタ４３などの光学フィルタは、例えばガラスなどの透明部材に金属などの物質を多層薄膜コーティングすることによって製作することができる。
【００７４】
また、本実施の形態では、観察メガネ４１を単純に通常の視力矯正用のメガネと同一の構成であるものとして説明したが、その形状等は限定されるものではなく、例えば視力矯正用のメガネ使用の有無に関係なく装着可能なオーバーグラスタイプのものとしてもよいし、さらには視力矯正用のメガネの使用者に対して、該メガネの上部に重ねて装着するクリップオンタイプのものとすることも容易に考えられる。
【００７５】
（第６の実施の形態）  
以下本発明を、上記第４の実施の形態で説明したプリンタによって印刷された写真プリントなどの印刷物を収納し、必要に応じて持ち運ぶためのカードキャリアとしても機能するプリントホルダに適用した第６の実施の形態について図面を参照して説明する。
図１３（Ａ）は、そのようなプリントホルダ５１の外観構成を示すもので、図１３（Ｂ）は同図（Ａ）のｂ−ｂ線に沿った一部断面構造を示す。ここでは、１枚の印刷物５２を若干の余裕を持って収納するべく、一対のシート５３，５４の周囲３方を貼着し袋状にして形成したものとする。
【００７６】
ここで、シート５３，５４の少なくとも一方、例えばシート５３は透明なフィルム状で構成されるものとし、印刷物５２の印刷面をこのシート５３に向けて挿入することで、印刷物５２を汚すことなくその印刷内容を観賞することを可能としている。
【００７７】
しかるにこの透明なシート５３は、単なる透明部材ではなく、上記図１２で示したＸ系フィルタ４２またはＺ系フィルタ４３と同等の透過分光分布特性を有しているものとする。
【００７８】
したがって、Ｌ画像とＲ画像とが重畳印刷された印刷物５２を挿入した場合には、Ｌ画像またはＲ画像のみが選択的に観察できることになり、本来であれば左右の画像が重畳して印刷されているために不自然に「ぶれた」画像となっているステレオ写真などを意識することなく、あたかも通常の単眼視の印刷物のように取り扱うことが可能となる。
【００７９】
なお、本実施の形態の変形例として、例えば複数枚数の写真プリントを収納可能な写真アルバムにおいて、その観察面の保護シートをＸ系フィルタ４２またはＺ系フィルタ４３と同等の透過分光分布特性を有した部材で構成するものも考えられる。この変形例においても、上記図１３に示したものと同様の効果を奏することが可能となる。
【００８０】
上記第１乃至第６の実施の形態によれば、フルカラーでステレオ画像を観察することができ、従来の赤青分離方式のアナグリフのような色再現性において異常な感覚を生じることがない。
【００８１】
また、偏光メガネ方式のステレオ画像の鑑賞方法などのように、偏光を利用していないので、例えば液晶表示パネルのように、他の目的で偏光を使用している構造のものにも適用できる。
【００８２】
さらに、ＣＲＴディスプレイや液晶表示パネル、ＬＥＤディスプレイ等の光像を直接出力する表示装置のみならず、印刷物においてもステレオ画像を（広義の意味で）「表示」することが可能となる。
【００８３】
加えて、上記直接裸眼で視認した場合には左右両眼の画像が重畳されているために不自然に「ぶれた」画像となっている印刷物であっても、上記第６の実施の形態で示したようなプリントホルダやアルバムを利用することによって、通常の単眼視の画像と同等に取り扱うことが可能となる。
【００８４】
なお、上記各実施の形態においては、左右両眼用の２つの画像を重畳した画像を表示または印刷し、これを観察するものとして説明したが、分光分布特性における波長の設定を適切に設定すれば、３つ以上の系の画像を重畳して表示させるものにも拡張することが可能となる。
【００８５】
これは、ステレオ画像への応用以外にも、例えば一連の動作を連続的に示す分解写真など、複数の画像を重畳表示しつつ単独の画像の観察も必要になるような用途や、ある出来事の原因と過程、及び結果など、画像としては全く内容の異なる複数の画像を１つの印刷物に重畳する用途など、アイデア次第で任意の用途に適用することが可能となる。
【００８６】
その他、本発明は上記実施の形態に限らず、その要旨を逸脱しない範囲内で種々変形して実施することが可能であるものとする。
【００８７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８８】
【図１】本発明の基本概念を説明するための、一般的なカラーＣＲＴディスプレイの蛍光体の分光分布特性を示す図。
【図２】本発明の基本概念を説明するための、一般的な３波長型蛍光灯の蛍光体の分光分布特性を示す図。
【図３】本発明の第１の実施の形態に係るカラーＣＲＴディスプレイの蛍光体の分光分布特性を示す図。
【図４】同実施の形態に係るカラーＣＲＴディスプレイの構造を示す図。
【図５】一般的なシャドウマスク型カラーＣＲＴの電子銃と蛍光体との対応関係の一例を示す図。
【図６】本発明の第１の実施の形態に係るシャドウマスク型カラーＣＲＴの電子銃と蛍光体との対応関係の一例を示す図。
【図７】同実施の形態に係る左眼用画像と右眼用画像の重畳表示方法を示す図。
【図８】同実施の形態に係る信号処理系統の構成を例示するブロック図。
【図９】一般的なインクジェット式のプリンタで使用されるカラーインクの分光分布特性を示す図。
【図１０】本発明の第４の実施の形態に係るインクジェット式のプリンタで使用されるカラーインクの分光分布特性を示す図。
【図１１】本発明の第５の実施の形態に係る観察メガネに使用する各光学フィルタの分光分布特性を示す図。
【図１２】同実施の形態に係る観察メガネの外観構成を示す図。
【図１３】本発明の第６の実施の形態に係るプリントホルダの構成を示す図。
【符号の説明】
【００８９】
１１…電子銃、１２…カソード、１３…電子ビーム、１４…グリッド、１５…偏向ヨーク、１６…蛍光面、１７…シャドウマスク、２１ａ〜２１ｃ…電子銃、２２…蛍光面、２３…電子ビーム、２４…シャドウマスク、３１…ＬＲ分離部、３２…Ｘ系処理部、３３…Ｚ系処理部、３４…出力部、４１…観察メガネ、４２…Ｘ系フィルタ、４３…Ｚ系フィルタ、５１…プリントホルダ、５２…印刷物、５３…（透明）シート、５４…シート。
【図１】
0004657256.tif 000002
【図２】
0004657256.tif 000003
【図３】
0004657256.tif 000004
【図４】
0004657256.tif 000005
【図５】
0004657256.tif 000006
【図６】
0004657256.tif 000007
【図７】
0004657256.tif 000008
【図８】
0004657256.tif 000009
【図９】
0004657256.tif 000010
【図１０】
0004657256.tif 000011
【図１１】
0004657256.tif 000012
【図１２】
0004657256.tif 000013
【図１３】
0004657256.tif 000014